(57)【特許請求の範囲】
【請求項１】
遊技媒体を用いて遊技可能な遊技機が複数設置された遊技場において、各遊技機に対応する位置に遊技媒体を計数可能な計数装置が設置され、計数装置によって計測された数値に基づいて遊技者が獲得した遊技媒体の情報を反映可能な遊技媒体演出装置であって、
各遊技機の上方に配置され、
前記遊技媒体の情報を表示する表示手段と、回転動作を行う移動手段を有し、
表示手段は、移動手段の回転動作に連動して動作し表示状態を変更可能なものであって、
少なくとも計数装置で遊技媒体が計測されて、所定の条件が満足されると、表示手段が移動されて、現在における遊技者が獲得した遊技媒体の情報を表示するものであり、
前記表示手段は、長尺状のシートであって、一部の領域に疑似遊技媒体が印刷あるいは描かれたものであり、
前記遊技媒体演出装置の筐体は、単体遊技媒体箱が積み上げられた形状の遊技媒体箱部を有し、
前記遊技媒体箱部は、前記表示手段を収容可能な空間を備えており、
前記空間は、各単体遊技媒体箱に渡って連通しており、
前記表示手段は、計測された遊技媒体の数が基準数値の分増減するごとに、当該増減に合わせて前記疑似遊技媒体が印刷あるいは描かれた一部の領域が一の単体遊技媒体箱内で段階的に移動し、当該移動する表示手段を前記一の単体遊技媒体箱を透過させて視認可能であり、
さらに、前記疑似遊技媒体が印刷あるいは描かれた一部の領域は、前記一の単体遊技媒体箱内から他の単体遊技媒体箱内に移動可能であることを特徴とする遊技媒体演出装置。
【請求項２】
移動手段は、少なくとも２つの筒体で構成されており、少なくとも１つの筒体は駆動源を備えた駆動用ローラであって、
表示手段は、長尺状のシートであり、環状にされた状態で複数の筒体に渡って巻回されており、
表示手段が形成する環の内側に前記照明手段が配置されていることを特徴とする請求項１に記載の遊技媒体演出装置。
【請求項３】
移動手段は、２つの筒体で構成されており、双方の筒体は駆動源を備えた駆動用ローラであって、
表示手段は、長尺状のシートであり、一方の端部を駆動用ローラに接続し、他方の端部を別の１つの筒体に接続したことを特徴とする請求項１に記載の遊技媒体演出装置。
【請求項４】
照明手段を有し、
照明手段は、前記疑似遊技媒体が印刷あるいは描かれた一部の領域に照射可能であって、
計数装置から発信された情報に基づいて、照射状態を変更可能であり、
照明手段は、複数の異なる色の光が照射可能なものであって、
計数装置から発信された情報に基づいて、異なる色の光を前記疑似遊技媒体が印刷あるいは描かれた一部の領域に照射するものであり、
前記表示手段が、各単体遊技媒体箱の全てに前記疑似遊技媒体が印刷あるいは描かれた一部の領域が表示され、さらに合計遊技媒体数が増加した場合には、前記照明手段は、異なる色の光を照射することを特徴とする請求項１〜３のいずれかに記載の遊技媒体演出装置。
【請求項５】
遊技媒体を用いて遊技可能な遊技機が複数設置された遊技場において、各遊技機に対応する位置に遊技媒体を計数可能な計数装置が設置され、計数装置によって計測された数値に基づいて遊技者が獲得した遊技媒体の情報を反映可能な遊技媒体演出装置であって、
各遊技機の上方に配置され、
前記遊技媒体の情報を表示する表示手段と、回転動作を行う移動手段を有し、
表示手段は、移動手段の回転動作に連動して動作し表示状態を変更可能なものであって、
少なくとも計数装置で遊技媒体が計測されて、所定の条件が満足されると、表示手段が移動されて、現在における遊技者が獲得した遊技媒体の情報を表示するものであり、
前記表示手段は、長尺状のシートであって、一部の領域に疑似遊技媒体が印刷あるいは描かれたものであり、
前記遊技媒体演出装置の筐体は、単体遊技媒体箱が積み上げられた形状の遊技媒体箱部を有し、
前記遊技媒体箱部は、前記表示手段を収容可能な空間を備えており、
前記空間は、各単体遊技媒体箱に渡って連通しており、
前記表示手段は、計測された遊技媒体の数が基準数値の分増減するごとに、当該増減に合わせて前記疑似遊技媒体が印刷あるいは描かれた一部の領域が前記遊技媒体箱部内を段階的に移動し、当該移動する表示手段を前記遊技媒体箱部を透過させて視認可能であり、
さらに、前記疑似遊技媒体が印刷あるいは描かれた一部の領域は、一の単体遊技媒体箱内から他の単体遊技媒体箱内に移動可能であることを特徴とする遊技媒体演出装置。
【発明の詳細な説明】
【技術分野】
【０００１】
本発明は、遊技媒体を介して遊技可能な遊技機が設置された遊技場の演出装置に関するものであり、特に遊技者が獲得した遊技媒体の量に基づいた演出を実行可能な演出装置に関する。
【背景技術】
【０００２】
遊技機として一般的に知られているものに、例えば弾球遊技機（所謂パチンコ機）やスロット機がある。特にパチンコ機は、遊技媒体として鉄球、いわゆるパチンコ玉（以下、単に玉と言う）を使用して遊技するものである。このパチンコ機においては、遊技中に玉が入賞口に入賞し大当たりに当選するなどの所定条件が成立することに基づいて、所定個数の玉がパチンコ機から遊技者に対して払い出される。なお、スロット機においてもパチンコ機同様、大当たりに当選するなどの所定の条件が成立すると所定枚数のメダルが払い出される構成を有しているが、以下の説明では、理解を容易にするためにパチンコ機に注目して説明する。
【０００３】
そして、パチンコ機から払い出された玉のうち、少なくともパチンコ機に備えられた貯留皿（上皿及び下皿）から溢れた分が所定の貯留箱に貯留され、その貯留箱は遊技者が遊技を終了するまで遊技場の床等に並べられる。これは、他の遊技者に対して、遊技場における現在の玉の出具合を効果的に知らしめる手段とされており、従来より集客を上げたり、場内の活気を高めるための演出（以下、出玉演出と言う）の１つとなっていた。
そして、遊技者が遊技を終了する際に、床等に並べられた貯留箱は、ホールスタッフにより所定の場所に設置された計数機まで運搬されて、貯留箱の玉が計数機によって計数される。
【０００４】
ところで、近年、遊技場においては、遊技人口の減少が目立ってきている。そのため、遊技場では、集客効果を上げて遊技人口の減少を阻止するため、短い周期で次々に新たなパチンコ機（以下、新台と言う）を導入する方策がとられている。これにより、既存の遊技者の遊技離れを阻止すると共に、新たな遊技者の取り込みに成功している。
【０００５】
ところが、新台を導入する周期を短くすることで、パチンコ機１台当たりの実質稼働期間が短縮されるため、パチンコ機１台当たりの利益が減縮してしまう不満がある。これにより、前記したように遊技離れ等を阻止できたとしても、遊技場全体の利益に結びつかないという問題があった。
【０００６】
そこで、遊技場においては、遊技場全体の利益の減縮を抑制するため、人件費等のコストを削減する対策が講じられている。特に、一部の遊技場においては、コスト削減のために単にホールスタッフの数を減らすのではなく、各パチンコ機に対応した計数機（各台計数機）を設け、遊技者が遊技している場所で玉を計数できる各台計数システムを導入した上で、ホールスタッフの数を減らす方策がとられている。例えば、特許文献１に各台計数システムの技術が開示されている。
【０００７】
即ち、遊技場に各台計数システムを導入することで、従来であればホールスタッフが行うべき作業（貯留箱を並べる作業や運搬作業）を省略することができるため、遊技場における正味の作業が減少し、何ら問題なく遊技場における人員を削減できる。これにより、サービス（遊技場における快適性に関するサービス）の低下を招くことなく人件費を削減することができた。
【０００８】
しかしながら、各台計数システムの導入により、人件費の削減が達成される反面、従来の出玉演出が影を潜めることとなり、遊技場において現在の出玉具合を知らしめる効果が希薄になってしまっているという不満がある。これにより、たとえ遊技場における玉の出具合が他店あるいは通常に比べて多い場合であっても、従来のように貯留箱を床面等に並べることがないため、遊技場における現在の玉の出具合を知らしめることができず、集客効果が薄れてしまうという問題があった。即ち、遊技場においては、各台計数システムを導入すれば、人件費は削減できるが、演出効果による集客が見込めなくなってしまう場合があるため、結果的に新台導入による利益を相殺あるいは減縮してしまう不具合があった。
【０００９】
そこで、特許文献２では、複数のパチンコ機により形成された遊技機群（所謂遊技島）における隣接するパチンコ機同士の間（以下、台間と言う）に配され、各台計数機によって計数された玉数に応じて、玉の出具合を知らしめることが可能な遊技媒体演出装置（演出装置）が開示されている。具体的には、特許文献２は、台間に配置される透視可能なカバー体を有し、そのカバー体の内部に玉を導入して、出玉具合の演出を行う構成とされている。
【先行技術文献】
【特許文献】
【００１０】
【特許文献１】特開平１１−１９２３７０号公報
【特許文献２】特開２０１０−１４２５８２号公報
【発明の概要】
【発明が解決しようとする課題】
【００１１】
しかしながら、特許文献２では、演出装置を台間に配する構成とされているため、遊技島におけるパチンコ機を設置する実質的なスペースが縮小されてしまう問題がある。これにより、遊技場全体から見れば、実質的に稼働し得るパチンコ機が大幅に減少してしまい、利益の減少を招いてしまう。
【００１２】
また、特許文献２の演出装置は、実際の玉をカバー体に流し込んで、玉の出具合を演出する構成であるため、既存の遊技島に当該装置を設置する場合、遊技島の内部構造まで変更しなければならないという必要性が生じる。そのため、新たに導入する演出装置の費用の他、遊技島の構造を変更（リフォーム）するための費用までも要することとなり、設備投資費が大幅に増加してしまう問題がある。
【００１３】
そこで、本発明では、従来技術の問題に鑑み、既存の遊技島に設置する場合であっても、遊技島の構造を殆ど変更することなく、遊技媒体の出具合を演出できる演出装置を提供することを目的とする。
【課題を解決するための手段】
【００１４】
上記課題を解決するため、請求項１に記載の発明は、遊技媒体を用いて遊技可能な遊技機が複数設置された遊技場において、各遊技機に対応する位置に遊技媒体を計数可能な計数装置が設置され、計数装置によって計測された数値に基づいて遊技者が獲得した遊技媒体の情報を反映可能な遊技媒体演出装置であって、各遊技機の上方に配置され、前記遊技媒体の情報を表示する表示手段と、回転動作を行う移動手段を有し、表示手段は、移動手段の回転動作に連動して動作し表示状態を変更可能なものであって、少なくとも計数装置で遊技媒体が計測されて、所定の条件が満足されると、表示手段が移動されて、現在における遊技者が獲得した遊技媒体の情報を表示するものであり、前記表示手段は、長尺状のシートであって、一部の領域に疑似遊技媒体が印刷あるいは描かれたものであり、前記遊技媒体演出装置の筐体は、単体遊技媒体箱が積み上げられた形状の遊技媒体箱部を有し、前記遊技媒体箱部は、前記表示手段を収容可能な空間を備えており、前記空間は、各単体遊技媒体箱に渡って連通しており、前記表示手段は、計測された遊技媒体の数が基準数値の分増減するごとに、当該増減に合わせて前記疑似遊技媒体が印刷あるいは描かれた一部の領域が一の単体遊技媒体箱内で段階的に移動し、当該移動する表示手段を前記一の単体遊技媒体箱を透過させて視認可能であり、さらに、前記疑似遊技媒体が印刷あるいは描かれた一部の領域は、前記一の単体遊技媒体箱内から他の単体遊技媒体箱内に移動可能であることを特徴とする遊技媒体演出装置である。
すなわち、請求項１に記載の発明は、遊技媒体を用いて遊技可能な遊技機が複数設置された遊技場において、各遊技機に対応する位置に遊技媒体を計数可能な計数装置が設置され、計数装置によって計測された数値に基づいて遊技者が獲得した遊技媒体の情報を反映可能な演出装置であって、各遊技機の上方に配置され、前記遊技媒体の情報を表示する表示手段と、回転動作を行う移動手段を有し、表示手段は、移動手段の回転動作に連動して動作し表示状態を変更可能なものであって、少なくとも計数装置で遊技媒体が計測されて、所定の条件が満足されると、表示手段が移動されて、現在における遊技者が獲得した遊技媒体の情報を表示することを特徴とする。
【００１５】
本発明の演出装置は、各遊技機の上方に配置されているため、遊技機の設置スペースを圧迫しない。即ち、従来技術の演出装置であれば、遊技機同士の間に配置されるため、例えば、演出装置を設置しなければ３台の遊技機を並設できるはずのスペースに２台の遊技機しか設置できないという不具合が生じるが、本発明であれば、遊技機同士の間ではなく、各遊技機の上方に演出装置が設置されるため、演出装置を設置しない場合と同じ台数の遊技機を並設することができる。従って、本発明によれば、例えば、既に設置された複数の遊技機によって形成された遊技機群（所謂遊技島）に演出装置を設置する場合であっても、演出装置の設置の前後で遊技機の数が変化することがない。これにより、本発明では、実質的に稼働し得る遊技機の数を減少させることがないため、設置される遊技機が減少することに起因する利益の減縮が発生することはない。
【００１６】
また、本発明の演出装置は、各遊技機に対応する計数装置で計測された遊技媒体の数量に基づいて、移動手段を動作させ、その動作に連動させて表示手段を動作させて表示手段の表示状態を変更する構成とされている。即ち、本発明によれば、計数装置で計測された遊技媒体の数量を表示手段の表示状態を変更することで表現することができるため、特許文献２の発明のように、遊技島の内部に演出装置用の遊技媒体の搬送路を設ける必要がない。換言すれば、本発明では、計数装置と演出装置を電気的に接続するだけで成立し得る。従って、本発明の演出装置は、引用文献２にように、遊技島の内外の構造を殆ど変更する必要がないため、演出装置を設置することに伴った余計な費用は発生しない。
【００１７】
また、本発明の演出装置は、回転動作を行う移動手段を採用しているため、移動手段には、例えば筒状のローラやプーリ等を採用することができる。そして、表示手段に遊技媒体の情報を、例えば段階的に変化するように予め表現しておき、その表示手段がローラの動作によって巻回するようにしておけば、表示状態を簡単に変更することができる。即ち、本発明によれば、構造を簡単にできるため、製造コストを抑えることができると共に、遊技者が獲得した遊技媒体の情報を変化が生じるごとに分かり易く伝えることができるため、従来と同様の演出効果を期待することができる。
【００１８】
請求項２に記載の発明は、移動手段は、少なくとも２つの筒体で構成されており、少なくとも１つの筒体は駆動源を備えた駆動用ローラであって、表示手段は、長尺状のシートであり、環状にされた状態で複数の筒体に渡って巻回されており、表示手段が形成する環の内側に前記照明手段が配置されていることを特徴とする請求項１に記載の遊技媒体演出装置である。
すなわち、請求項２に記載の発明は、移動手段は、少なくとも２つの筒体で構成されており、少なくとも１つの筒体は駆動源を備えた駆動用ローラであって、表示手段は、長尺状のシートであり、環状にされた状態で複数の筒体に渡って巻回されていることを特徴とする。
【００１９】
かかる構成によれば、表示手段であるシートが環状にされた状態で複数の筒体に渡って巻回されているため、駆動用ローラを駆動することで、シート全体が円滑に同方向に移動させることができるため、シートに必要以上の引っ張り力が発生することがない。即ち、表示状態を変更するごとに、シートの劣化が加速度的に早まることはない。
【００２０】
請求項３に記載の発明は、移動手段は、２つの筒体で構成されており、双方の筒体は駆動源を備えた駆動用ローラであって、表示手段は、長尺状のシートであり、一方の端部を駆動用ローラに接続し、他方の端部を別の１つの筒体に接続したことを特徴とする請求項１に記載の遊技媒体演出装置である。
【００２１】
かかる構成によれば、シートを環状にする場合より長く設定することができるため、表示状態を豊富なバリエーションで表すことができる。即ち、物理的なスペースから考えて、例えば貯留箱を４段ほど積み上げた状態の情報しか表現し得ない場合であっても、本発明によれば、シートの繰り出し長さをさらに延長することで、貯留箱が４段を超える場合の情報を表現することが可能である。具体的には、例えば、シートの色を変化させたり、表現方法を変化させることが考えられる。
【００２２】
請求項４に記載の発明は、照明手段を有し、照明手段は、前記疑似遊技媒体が印刷あるいは描かれた一部の領域に照射可能であって、計数装置から発信された情報に基づいて、照射状態を変更可能であり、照明手段は、複数の異なる色の光が照射可能なものであって、計数装置から発信された情報に基づいて、異なる色の光を前記疑似遊技媒体が印刷あるいは描かれた一部の領域に照射するものであり、前記表示手段が、各単体遊技媒体箱の全てに前記疑似遊技媒体が印刷あるいは描かれた一部の領域が表示され、さらに合計遊技媒体数が増加した場合には、前記照明手段は、異なる色の光を照射することを特徴とする請求項１〜３のいずれかに記載の遊技媒体演出装置である。
すなわち、請求項４に記載の発明は、照明手段を有し、照明手段は、表示手段における遊技媒体の情報を表示する部分に照射可能であって、計数装置から発信された情報に基づいて、照射状態を変更可能であることを特徴とする。
【００２３】
かかる構成によれば、計数装置からの情報に基づいて、表示手段の表示状態を変更することに加えて、照明手段による照射状態を変更することができるため、演出効果を高めることができる。これにより、遊技待ち等の遊技者に対して、現在の遊技中の遊技者における遊技媒体の情報を知らしめる効果が高まるため、この遊技場における演出効果による集客効果を一層有効なものとすることができる。
【００２４】
請求項４に記載の発明は、照明手段は、複数の異なる色の光が照射可能なものであって、計数装置から発信された情報に基づいて、異なる色の光りを照射することを特徴とする。
【００２５】
かかる構成によれば、演出のバリエーションが増加するため、表示手段だけでは表現しきれない表現が可能となる。例えば、表示しきれない貯留箱の表現であったり、遊技媒体がパチンコ機用の玉であれば、玉の数量が所定値を超えれば、それに応じた色の光を照射して報知する等の表現が挙げられる。
請求項４に記載の発明は、前記表示手段が、各単体遊技媒体箱の全てに前記疑似遊技媒体が印刷あるいは描かれた一部の領域が表示され、さらに合計遊技媒体数が増加した場合には、前記照明手段は、異なる色の光を照射することを特徴とする。
請求項５に記載の発明は、遊技媒体を用いて遊技可能な遊技機が複数設置された遊技場において、各遊技機に対応する位置に遊技媒体を計数可能な計数装置が設置され、計数装置によって計測された数値に基づいて遊技者が獲得した遊技媒体の情報を反映可能な遊技媒体演出装置であって、各遊技機の上方に配置され、前記遊技媒体の情報を表示する表示手段と、回転動作を行う移動手段を有し、表示手段は、移動手段の回転動作に連動して動作し表示状態を変更可能なものであって、少なくとも計数装置で遊技媒体が計測されて、所定の条件が満足されると、表示手段が移動されて、現在における遊技者が獲得した遊技媒体の情報を表示するものであり、前記表示手段は、長尺状のシートであって、一部の領域に疑似遊技媒体が印刷あるいは描かれたものであり、前記遊技媒体演出装置の筐体は、単体遊技媒体箱が積み上げられた形状の遊技媒体箱部を有し、前記遊技媒体箱部は、前記表示手段を収容可能な空間を備えており、前記空間は、各単体遊技媒体箱に渡って連通しており、前記表示手段は、計測された遊技媒体の数が基準数値の分増減するごとに、当該増減に合わせて前記疑似遊技媒体が印刷あるいは描かれた一部の領域が前記遊技媒体箱部内を段階的に移動し、当該移動する表示手段を前記遊技媒体箱部を透過させて視認可能であり、さらに、前記疑似遊技媒体が印刷あるいは描かれた一部の領域は、一の単体遊技媒体箱内から他の単体遊技媒体箱内に移動可能であることを特徴とする遊技媒体演出装置である。
【発明の効果】
【００２６】
本発明の演出装置は、各遊技機に対応する計数機によって計測された数値に基づいて、遊技者によって獲得された遊技媒体の情報を演出できるため、従来のように貯留箱を遊技場の床面等に積み上げることなく、従来と同様の演出効果を期待することができる。また、演出装置を各遊技機の上方に配置する構成としたため、並設して配置される遊技機の数が、演出装置を設置することに起因して減少することがない。また、本発明の演出装置は、現在の遊技場において遊技者によって獲得された遊技媒体がどの程度なのかを表示手段で擬似的に表現できるため、遊技機群の内部構造を殆ど変更する必要がなく、設備投資費を大幅に増加させることがない。
【図面の簡単な説明】
【００２７】
【図１】本発明の実施形態に係る演出装置が設置された遊技場の遊技島を示す正面図である。
【図２】図１の演出装置を示す斜視図である。
【図３】図２の演出装置を示す分解斜視図である。
【図４】図３の筐体を示すＡ方向矢視図である。
【図５】照明装置の光源を概念的に示す説明図である。
【図６】照明装置の光源のうちの１つの色の光源を独立して発光させた状態を示す概念図である。
【図７】制御基板の構成を示すブロック図である。
【図８】演出装置と遊技島との関係を簡略的に示す断面図である。
【図９】筐体における照明装置の位置を示す説明図である。
【図１０】駆動用ローラをローラ収容部に配した状態を示す説明図である。
【図１１】演出装置の動作を示す説明図で、（ａ）、（ｂ）は合計玉数が０個から５００個に増加した場合の表示部材と照明装置の動作状況を示す。
【図１２】演出装置の動作を示す説明図で、（ａ）、（ｂ）は合計玉数が５００個から１５００個に増加した場合の表示部材と照明装置の動作状況を示す。
【図１３】演出装置の動作を示す説明図で、（ａ）、（ｂ）は合計玉数が６０００個から６５００個に増加した場合の表示部材と照明装置の動作状況を示す。
【図１４】演出装置の動作を示す説明図で、（ａ）、（ｂ）は合計玉数が１５００個から５００個に減少した場合の表示部材と照明装置の動作状況を示す。
【図１５】演出装置の変形例を概念的に示す説明図である。
【図１６】図１５の演出装置の表示部材の概念図である。
【図１７】図１５の演出装置の表示部材の概念図で、図１６の変形例である。
【図１８】演出装置の別の変形例であって、移動装置のみを示す説明図である。
【図１９】演出装置のさらに別の変形例を示す斜視図である。
【発明を実施するための形態】
【００２８】
以下に、本実施形態に係る演出装置１について説明する。
なお、以下の説明においては、特に断りがない限り、上下左右、前後方向の表現に関しては、通常の設置位置（図１）を基準に説明する。
本実施形態の演出装置１は、図１に示すように、パチンコ機４０や図示しないスロット機等の遊技機３０によって形成された遊技機群（遊技島）５０が複数設置された遊技場に設けられるものであって、それぞれの遊技機３０に対応するように配置されている。
【００２９】
ここで、本実施形態における遊技島５０は、複数のパチンコ機４０によって形成されており、内部に遊技機３０の動作に関連する機器が複数配され、パチンコ機４０を基準に、遊技媒体（以下、単に玉と言う）が円滑に循環できる構成とされている。より具体的には、遊技島５０には、各パチンコ機４０に玉を搬送する玉搬送装置（図示しない）、各パチンコ機４０から回収された玉が一時的に貯留される貯留タンク（図示しない）、回収された玉の汚れを除去し磨く玉研磨装置（図示しない）、玉研磨装置を通過した玉を玉搬送装置まで揚送する揚送装置（図示しない）等の機器が配されているが、本発明においては特に関係がないため説明を省略する。
【００３０】
また、本実施形態の演出装置１は、特に、各パチンコ機４０に対応した計数機（各台計数機）３１が設けられ、各パチンコ機４０から払い出される玉を、遊技者が遊技している場所で計数可能な公知の各台計数システムが導入された遊技場に適したものである。以下に、各台計数システムについて簡単に説明する。
【００３１】
各台計数システムは、図１に示す玉の数を計測する機能を備えた各台計数機３１と、玉の貸し出し機能を備えた玉貸し機３２とをユニットにして機能させたシステムである。即ち、各台計数システムは、パチンコ機４０から払い出されて各台計数機３１の固定型貯留箱４１に貯留された玉を、遊技者等の所定の操作（例えば計数開始ボタンを押下する）によって、各台計数機３１の所定の経路に流し込み、その経路において計数された玉情報を、遊技者等が玉貸し機３２で容易に管理できるシステムである。即ち、固定型貯留箱４１と連通した前記所定の経路には、図示しない玉計数センサが配されており、経路上に１列に並べられた状態で、正確な玉数がカウントされる。そして、玉計数センサによってカウントされた玉数が、玉貸し機３２の図示しない玉数表示部にデジタル表示（例えば、２５００個）される。なお、このとき計数された玉は、遊技島の下部に設けられた前記貯留タンクに導入される。
【００３２】
そして、玉貸し機３２に玉数が表示された状態で、玉貸し機３２に設けられた再プレイボタン（図示しない）等を押下すると、計数された玉の一部（例えば１２５個）が玉貸し機３２を通じて払い出される。また、遊技を終了したり、別の遊技機３０に移動する場合等には、玉貸し機３２に設けられた返却ボタン（図示しない）等を押下することで、玉数や残高等を記憶可能なカード（会員カードを含む）が返却される。
【００３３】
従って、各台計数システムによれば、大当たりが当選する等の所定の条件が満足されて多量の玉が払い出された場合等に、一時的に各台計数機３１の固定型貯留箱４１に玉が貯留されるが、所定の操作により、固定型貯留箱４１に貯留された玉をその場で計数して、玉貸し機３２及び前記カードで遊技者等が容易に管理できるため、払い出された多量の玉を複数の貯留箱（従来より使用されている玉箱）に貯留する必要がない。換言すれば、このシステムを導入すると、貯留箱を遊技場の床面に並べる必要がなくなる。
【００３４】
一方で、遊技場では、従来より、集客の向上や、場内の活気を高めるため、玉が貯留された玉箱を床面に並べて、現在における玉の出具合を主に周囲に知らしめる（以下、出玉演出と言う）方策が執られていた。しかしながら、前記したように、各台計数システムの導入により、そもそも玉箱を床面に並べることがなくなったため、出玉演出による集客効果が希薄化し、遊技場における利益に結びつかないという問題があった。
【００３５】
そこで、本実施形態の演出装置１は、各パチンコ機４０に対応する位置であって、パチンコ機４０の上方の位置（幕板５１）に設けられ、遊技場の床面に玉箱を並べることなく各台計数システムにおいて計数された玉の数量に基づいて、出玉の演出を実施可能な構成とされている。
以下に、本実施形態の演出装置１について具体的に説明する。
【００３６】
演出装置１は、図２に示すように、筐体２と、筐体２の蓋３と、玉の疑似表示がされた表示部材（表示手段）５と、表示部材５を動作させる移動装置（移動手段）６（図３）と、表示部材５に向けて照射可能な照明装置７と、各台計数システムから発信された玉情報を受信して、その情報に応じて制御する制御基板（制御手段）８と、演出装置１を壁面等に取り付ける際に要する固定部材９とによって構成されている。
【００３７】
筐体２は、塩化ビニルやアクリル等の透明な合成樹脂が採用されており、図２、３に示すように、４つの玉箱（単体玉箱１４ａ〜１４ｄと称す）が積み上げられたような形状に形成された玉箱部１０と、玉箱部１０の上下に一体的に取り付けられたローラ収容部１１とによって構成されている。なお、ローラ収容部１１においては、内部が視認できない工夫を施すことが好ましい。その工夫として、例えば、外側面に装飾を施したり、黒等の濃い色の合成樹脂を採用する等の手段が挙げられる。
【００３８】
玉箱部１０は、背面側（図１を基準）の一面が開放（開放部１２）された玉箱本体４２と、玉箱本体４２から外側に張り出した疑似把持部４３とを有している。
玉箱本体４２は、図４に示すように、内部に後述する表示部材５を収容可能な空間１３を有し、空間１３は４つの単体玉箱１４ａ〜１４ｄに渡って連通している。また、玉箱本体４２は、側壁４４ａ〜４４ｃを有し、側壁４４ａ〜４４ｃが空間１３を形成する構成の一部となっている。そして、側壁４４ａ〜４４ｃのうち対向する１対の側壁４４ａ、４４ｃの内側に、後述する照明装置７を保持可能な保持部３３が４組設けられている。即ち、本実施形態では、保持部３３は、８個設けられている。
【００３９】
保持部３３は、照明装置７を上下方向にスライド可能な溝であり、当該溝は各側壁４４ａ、４４ｃの平面からほぼ垂直方向に突出した突出壁部４５によって形成されている。突出壁部４５は、正面視した形状が上方に開放部を向けた「コ」の字状であり、上下方向に延びる対向する１対のスライド壁部４５ａ、４５ｃと、その１対のスライド壁部４５ａ、４５ｃを一体的に接合する接合壁部４５ｂによって形成されている。そして、スライド壁部４５ａ、４５ｃは、スライド方向長さが各単体玉箱１４ａ〜１４ｄの高さのほぼ２分の１程度（玉箱本体４２の高さの８分の１程度）に設定されていると共に、各単体玉箱１４ａ〜１４ｄの高さ方向下端から上方に延びるように設けられている。また、スライド壁部４５ａ、４５ｃ同士の間隔は、照明装置７が保持できる程度（照明装置７の厚み程度）の大きさに設定されている。なお、スライド壁部４５ａ、４５ｃのスライド方向長さは前記した長さに限らず、適宜変更しても構わない。
【００４０】
疑似把持部４３は、実際の玉箱の取っ手状に形成された装飾部分であって、単体玉箱１４ａ〜１４ｄのそれぞれを実際の玉箱に似せるためのものである。
また、疑似把持部４３には、筐体２の背面側において、筐体２の正面方向に向けて穿設された複数の筐体側孔３４が形成されている。
【００４１】
ローラ収容部１１は、玉箱部１０の上下（上側はローラ収容部１１ａ、下側はローラ収容部１１ｂとする）のそれぞれに一体的に接合された箱体で、玉箱部１０と同様、背面側が開放されており（前記した開放部１２に含む）、幅方向の拡がりが玉箱部１０の疑似把持部４３を含んだ幅と同程度の大きさとされている。そして、ローラ収容部１１は、図４、１０に示すように、玉箱部１０の空間１３と連通した収容空間１５と、後述する移動装置６の位置を固定するための保持溝１６を有している。なお、上下に位置するローラ収容部１１ａ、１１ｂの双方は一部が異なるだけで、大半は同じ構成を備えたものである。
【００４２】
そこで、上側のローラ収容部１１ａに注目して説明すると、玉箱部１０の疑似把持部４３に沿った（下側のローラ収容部１１ｂでは玉箱部１０の底部に沿った）内部側壁面部（筐体２の内部に形成された壁面部）４６を有しており、その内部側壁面部４６及びその内部側壁面部４６に対向する位置におけるローラ収容部１１の外部側壁面部（筐体２の外枠にあたる壁面部）４７に対をなした保持溝１６が形成されている。即ち、ローラ収容部１１ａにおいては、上下の対をなした保持溝１６が、筐体２の幅方向両端に１組ずつ設けられている。
【００４３】
保持溝１６は、内部側壁面部４６や外部側壁面部４７からほぼ垂直方向に立設した直線状の壁部４８が、各壁面に沿った方向に所定の間隔を空けて配置されることで形成された溝である。また、内部側壁面部４６と外部側壁面部４７の保持溝１６は、壁部４８の突端部が互いに向き合った状態で離反した配置とされている。換言すれば、保持溝１６は、後述する移動手段６のローラ取付部材２１の上下端部を保持可能な構成とされている。
また、ローラ収容部１１ａは、保持溝１６の一部が欠落した構成とされている。具体的には、電気線等を渡す目的として、筐体２の背面側の壁部４８の一部が切り欠かれている。
なお、下側のローラ収容部１１ｂは、壁部４８に切り欠きがないという構成以外は、ローラ収容部１１ａと同様の構成とされているため、説明を省略する。
【００４４】
蓋３は、図３に示すように、筐体２の背面側の開放部１２を閉塞する金属製の薄板であり、開放部１２より大きく形成されている。また、蓋３は、筐体２や幕板５１と接続するための蓋側孔３５が設けられている。なお、蓋３の蓋側孔３５は、筐体２の筐体側孔３４とそれぞれ連通するような配置とされている。
【００４５】
固定部材９は、図３に示すように、断面形状が「コ」の字型の一般的な溝型鋼であり、蓋３及び遊技島５０を構成する幕板５１を間に、筐体２と対向する位置に配されて筐体２を遊技島５０に取り付けるための部材である。即ち、固定部材９は、部材厚方向に２箇所の貫通孔４９が設けられており、その貫通孔４９を、筐体２の筐体側孔３４及び蓋３の蓋側孔３５と、幕板５１に設けた図示しない孔に連通するように配置し、その連通孔にボルト等を螺合させることで、筐体２等を遊技島５０に固定することが可能となる。なお、本実施形態では、固定部材９を筐体２の高さ方向上部・中間・下部の３箇所に配置する構成としたが、その個数及び取付箇所は遊技島の構成等によって適宜変更しても構わない。
【００４６】
表示部材５は、可撓性及び光を透過させることが可能なもので、長尺状且つ薄板状にしたポリプロピレン等の樹脂製のシートである。本実施形態では、図３に示すように、表示部材５の端部同士を接続して環状にしたものが使用されている。また、表示部材５は、一部の領域に、玉箱に貯留された状態の玉が印刷あるいは描かれている。即ち、本実施形態では、筐体２が４段に積み上げられた単体玉箱１４ａ〜１４ｄを備えているため、表示部材５に印刷あるいは描かれた玉は、４段の単体玉箱１４ａ〜１４ｄに渡った領域に表示されている。
【００４７】
移動装置６は、駆動用のＤＣモータが内蔵されたローラ（以下、駆動用ローラと言う）１７と、自由に回転する従動ローラ１８と、駆動用ローラ１７の駆動力を従動ローラ１８に伝動する伝動ベルト２０と、駆動用ローラ１７や従動ローラ１８の軸が挿着されるローラ取付部材２１とによって構成されている。
【００４８】
駆動用ローラ１７は、公知のそれと同様であり、筒体５２と回転軸５３を有し、筒体５２に内蔵されたＤＣモータの駆動力によって筒体５２を回転軸５３に対して相対的に回転させるものである。
筒体５２は、軸線方向端部側に外周に沿って図示しない溝が形成されており、当該溝に後述する伝動ベルト２０が懸架される構成とされている。
回転軸５３は、筒体５２の両端から一部が外部に露出しており、その外部に露出した一部の断面形状が六角形とされている。また、筒体５２の一方の端部における回転軸５３の内部には、モータと接続された電気線と信号線が配線されており、その回転軸５３の端部から外部に延長されている。
【００４９】
また、駆動用ローラ１７は、内蔵されたモータの磁界の変化を検知するホール素子が備えられている。即ち、駆動用ローラ１７は、ホール素子によって、モータの回転情報をパルス信号として認識させることができる。具体的には、本実施形態の駆動用ローラ１７は、ホール素子が２個以上配されており、異なる位相のパルス信号によって、回転数と回転方向を検知する構成とされている。
【００５０】
従動ローラ１８は、筒体５４と回転軸５５を有し、筒体５４が回転軸５５に対して相対的に回転可能な構成とされている。なお、従動ローラ１８の筒体５４及び回転軸５５も、駆動用ローラ１７と同様の構成とされている。即ち、筒体５４には図示しない溝が形成されており、回転軸５５における筒体５４から外部に露出した一部の断面形状は六角形とされている。
【００５１】
伝動ベルト２０は、長尺状のベルトが環状に巻かれたものであって、駆動用ローラ１７と従動ローラ１８に跨って懸架されることで、駆動用ローラ１７の駆動力を従動ローラ１８に伝動するものである。また、本実施形態では、伝動ベルト２０に表示部材５を接着剤等を用いて貼付することで、環状の表示部材５を形成することができる。
ローラ取付部材２１は、金属製の板体であって、部材厚方向に貫通した開口形状が六角形の軸挿通孔３６が設けられている。具体的には、この軸挿通孔３６は、駆動用ローラ１７の回転軸５３や従動ローラ１８の回転軸５５とほぼ同じ形状及び大きさに設定されている。換言すると、軸挿通孔３６は、駆動用ローラ１７や従動ローラ１８の回転軸５３、５５が挿通された際に、その回転軸５３、５５が軸挿通孔３６に対して相対的に回転することを阻止しつつ保持することができる部分である。
【００５２】
照明装置７は、図３に示すように、複数のＬＥＤ光源２７と、その複数のＬＥＤ光源２７を１枚の板体に取り付けることを可能とした基板２８を備えたものであり、単体玉箱１４ａ〜１４ｄのそれぞれに対応するように配されるものである。
また、本実施形態においては、ＬＥＤ光源２７は、図５に示すように、３種類の異なる色を有すると共に、比較的広範囲を照らすことが可能な広角タイプのものが採用されている。そして、図６に示すように、各色を独立して点灯することが可能な構成とされている。なお、本実施形態においては、ＬＥＤ光源２７ａは白色、ＬＥＤ光源２７ｂは青色、ＬＥＤ光源２７ｃは黄色に設定されている。
【００５３】
制御基板８は、駆動用ローラ１７に内蔵されており、図７のブロック図に示すように、入力部６０、制御部６１、記憶部６２、演算部６３、出力部６５を備えたものである。そして、各台計数機３１、玉貸し機３２、並びに駆動用ローラ１７のモータからの情報に基づいて、移動装置６や照明装置７を制御する構成とされている。
【００５４】
具体的には、入力部６０は、各台計数機３１における玉の計数情報と、玉貸し機３２における管理情報（獲得玉数等）の変更（再プレイ等による獲得玉数の減算）情報と、駆動用ローラ１７のモータの回転数や回転位置等に関するデータが入力される。
制御部６１は、記憶部６２や演算部６３を制御する部分である。
記憶部６２は、入力部６０に入力される玉数の情報や駆動用ローラ１７の各情報、並びに演出装置１の動作条件に関する設定情報等を記憶する部分である。
演算部６３は、各台計数機３１からの入力情報あるいは玉貸し機３２における変更情報と、記憶部６２に記憶された情報を比較演算したり、その比較情報と、モータの現在の位置情報等に基づいてモータの回転数等を演算する部分である。
そして、出力部６５によって、入力情報や演算結果に基づいて、玉貸し機３２、駆動用ローラ１７又は照明装置７に対して命令信号が発信される。
【００５５】
次に、本実施形態の演出装置１の各部材の位置関係について具体的に説明する。
本実施形態の演出装置１は、図３に示すように、表示部材５、移動装置６、照明装置７を空間１３に配して筐体２の開放部１２を蓋３で閉塞しており（以下、この複合体を閉塞筐体と言う）、その閉塞筐体を固定部材９を用いて遊技島５０の幕板５１に固定されている。即ち、演出装置１は、図８に示すように、その幕板５１を挟むように、閉塞筐体の蓋３と固定部材９とを対向するように配置して、その蓋３の蓋側孔３５と、固定部材９の連通孔４９を連通状態にして、ボルト等が螺合されて固定されている。
【００５６】
以下に、遊技島５０に固定された閉塞筐体に注目して説明する。
即ち、筐体２の内壁面４４に設けられた保持部３３には、照明装置７が配置されている。具体的には、各単体玉箱１４ａ〜１４ｄごとに１組ずつの保持部３３が設けられており、図９に示すように、各単体玉箱１４ａ〜１４ｄごとに１つずつの照明装置７が配置されている。そして、各照明装置７は、筐体２の背面側から正面方向に照射するように、ＬＥＤ光源２７が向けられている。
【００５７】
また、駆動用ローラ１７及び従動ローラ１８は、図１０に示すように、回転軸５３、５５にローラ取付部材２１が挿着された状態で、そのローラ取付部材２１が保持溝１６に沿って挿通されている。即ち、駆動用ローラ１７及び従動ローラ１８は、ローラ収容部１１における上下に位置する１組の保持溝１６によって、ローラ取付部材２１の対向する１対の端部側が保持された配置とされている。そして、このとき、ローラ１７、１８の筒体５２、５４は、収容空間１５に回転軸５３、５５の軸線方向と、筐体２の幅方向がほぼ一致した配置とされている。
なお、ローラ１７においては、一方の端部側から外部に電気線や信号線が延長されているため、その電気線等が保持溝１６を形成する壁部４８の切り欠きを介して、筐体２の空間１３下方に導かれている。
【００５８】
また、駆動用ローラ１７と従動ローラ１８に跨って懸架された伝動ベルト２０には、図示しないが、伝動ベルト２０の環状に沿って表示部材５が接着剤等を用いて貼付されている。即ち、表示部材５は、駆動用ローラ１７及び従動ローラ１８の外側に位置し、駆動用ローラ１７が駆動することで、伝動ベルト２０と同期的に作動する配置とされている。また、表示部材５は、筐体２の正面側に位置する部分が照明装置７に照射される配置でもある。即ち、表示部材５が形成する環の内側に照明装置７が配置されている。
【００５９】
次に、本実施形態の演出装置１の動作について説明する。
演出装置１は、各台計数機３１における玉の計数情報等に基づいて、表示部材５の表示状態を変更したり、照明装置７により照明効果を追加してさらに表示状態を変更することができるものである。
【００６０】
即ち、パチンコ機４０において、例えば大当たり絵柄が揃って、多量の玉が払い出されたとすると、払い出された玉の殆どはパチンコ機４０の上皿及び下皿に貯留できなくなるため、遊技者等の操作によって、溢れた玉が固定型貯留箱４１に貯留される。そして、この状態で、さらに大当たり絵柄が揃い、多量の玉が払い出されると、固定型貯留箱４１にも玉を貯留できなくなるため、少なくとも既に固定型貯留箱４１に貯留された玉を排出しなければならなくなる。
【００６１】
そのため、このような状況になれば、遊技者によって、計数開始ボタン等が押下され、固定型貯留箱４１内に貯留された玉が遊技島５０の図示しない貯留タンクに向かって排出される。このとき、貯留タンクに向かって排出された玉の数量が、図示しない玉計数センサによって計数される。そして、玉計数センサによって計数された情報が、各台計数機３１から発信される情報として、演出装置１の制御基板８に送信される。なお、この情報は、同時に、遊技場を一括管理するホールコンピュータ等にも送信される。
そして、制御基板８に入力された情報に基づいて機器への命令信号が生成されれば、該当する機器にその命令信号が発信されて、演出装置１の表示状態を変更する。
【００６２】
ここで、本実施形態では、表示部材５の表示状態を変更する場合、制御基板８で演算された数値が所定の基準を満足することが条件とされている。即ち、既に遊技者が獲得した玉数と、各台計数機３１から新たに入力された玉数との合計（以下、合計玉数と言う）が、制御基板８に予め設定されて記憶された条件を満たしているか否かが確認され、満たしていれば、所定の動作により表示部材５の表示状態を変更することとされてる。
【００６３】
より具体的には、本実施形態では、合計玉数が５００個を基準数値として増減するごとに、表示部材５を単体玉箱１４の高さの３分の１ずつ移動させる。即ち、演出装置１は、例えば合計玉数が０個から５００個まで増加すれば、図１１の左側に示すように、最下段の単体玉箱１４ｄの下方から上方に向けて疑似玉の表示部が移動し、１つの玉箱に玉が３分の１程度貯留された状況が表示され、さらに合計玉数が５００個から１５００個まで増加すれば、図１２の左側に示すように、表示部材５は単体玉箱１４ｄの高さの３分の１の位置から単体玉箱１４ｄの最上部まで移動し、１つの玉箱が玉で満杯になった状況が表示される。そして、さらに合計玉数が増加する場合であって、最上段の単体玉箱１４ａが満杯になるまでは、同様の動作が実行される。
【００６４】
また、本実施形態では、この表示部材５の動作に加えて、照明装置７による照明効果が追加される。即ち、合計玉数が０個から５００個まで増加して、表示部材５が移動すると、図１１の右側に示すように、単体玉箱１４ｄに対応する照明装置７における下段の白色ＬＥＤ光源２７ａが点灯し、合計玉数が５００個から１５００個まで増加すれば、図１２の右側に示すように、単体玉箱１４ｄに対応する照明装置７における全段（上中下段）の白色ＬＥＤ光源２７ａが点灯する。そして、さらに合計玉数が増加する場合であって、４段目の単体玉箱１４ａが満杯になるまでは、前記した動作と同様の動作が実行される。即ち、単体玉箱１４のいずれの段においても照明装置７は白色のみが点灯される。
【００６５】
ここで、大当たりが５回以上連続し、合計玉数が６０００個を超える場合、つまり５杯目の玉箱に玉が貯留される場合が考えられる。この場合、疑似玉を５段目に表示することはできないため、本実施形態では、照明装置７の発光色を変更することで単体玉箱１４の５段目以降を表すこととした。具体的には、表示部材５の表示状態を変更した上で、単体玉箱１４の５段目から８段目を白色ＬＥＤ光源２７ａに替えて、青色ＬＥＤ光源２７ｂを点灯させ、単体玉箱１４の９段目から１２段目までを青色ＬＥＤ光源２７ｂに替えて、黄色ＬＥＤ光源２７ｃを点灯させる設定とされている。
【００６６】
即ち、単体玉箱１４ａ〜１４ｄの全てに疑似玉が表示され、いずれの段に対応する照明装置７も白色ＬＥＤ光源２７ａが点灯した状態から、さらに合計玉数が増加した場合においては、まず全ての段に対応する照明装置７の白色ＬＥＤ光源２７ａが消灯される。そして、表示部材５を、合計玉数から６０００個（単体玉箱１４の合計玉数に相当）減算した玉数（以下、減算玉数と言う）に対応した位置に移動させる。例えば、合計玉数が６５００個に達すれば、減算玉数が５００個となり、図１３の左側に示すように、単体玉箱１４ｄの高さの３分の２程度貯留された状態が表示される。即ち、この表示部材５の表示状態は、合計玉数が６０００個以下の場合と同じである。なお、このときの表示部材５の移動方向は、合計玉数が６０００個に至るまでの移動方向と同方向であっても、その移動方向と反対方向であっても構わない。そして、合計玉数が６５００個に対応する位置の青色ＬＥＤ光源２７ｂが点灯する。即ち、図１３の右側に示すように、単体玉箱１４ｄの１〜２段目までの青色ＬＥＤ光源２７ｂのみが点灯する。
【００６７】
一方、再プレイ等によって、合計玉数が減少する場合、例えば１５００個から５００個まで減少すれば、図１４の左側に示すように、最下段の単体玉箱１４ｄの上方から下方に向けて疑似玉の表示部が移動し、１つの玉箱に玉が３分の２程度貯留された状況が表示され、さらに合計玉数が５００個を下回れば、表示部材５における疑似玉の表示部は単体玉箱１４ｄから視認できなる。なお、単体玉箱１４ａ〜単体玉箱１４ｃにおいても同様の動作が実行され、同時に照明装置７の点灯状態も合計玉数が増加する場合と同様の条件で変更される。
【００６８】
以上により、本実施形態の演出装置１は、床面等に玉箱を並べたり積み上げたりしない各台計数システムを備えた遊技場において、遊技場における現在の出玉具合を周囲に知らしめたり、場内の活気を高めることができるため、出玉演出の希薄化による利益の低減を招くことがない。
また、本実施形態の演出装置１は、遊技島５０におけるパチンコ機４０の上部に位置する幕板５１に取り付ける構成を有しているため、並設されるパチンコ機４０同士の間隔が拡がりすぎて、パチンコ機４０の実質稼働台数が大幅に減少することがない。即ち、パチンコ機４０の稼働台数の減少により、見込み利益が低減することもない。
さらに、本実施形態の演出装置１は、出玉演出を表示部材５に印刷あるいは描かれた疑似玉により行う構成であるため、実際の玉を出玉演出として使用する構成に比べると、遊技島５０の構造を殆ど変える必要がない。具体的には、遊技島５０の内部に信号線や電気線を配線するなどの簡易的な変更で機能させることができるため、演出装置１を導入することにより設備投資費が大幅に増加する心配もない。
【００６９】
上記実施形態では、表示部材５を２つのローラ１７、１８に跨るように懸架して環状にして利用した構成を示したが、本発明ではこれに限定されず、例えば、図１５に示すように、２つのローラのそれぞれに長尺状の表示部材の端部を巻回し環状にしないで利用する構成であっても構わない。
即ち、この構成においては、長手方向の長さを表示部材５の長さより長くした表示部材７５、７６を利用することができるため、図１６に示すように、表示部材７５の一方の端部から他方の端部に向かって一定の領域ごとに異なる色で疑似玉を印刷あるいは描いた構成、又は図１７に示すように、表示部材７６の一方の端部から他方の端部に向かって一定の領域ごとに異なる色と無地が交互に印刷あるいは描いた構成とすれば、照明装置によって表示部材７５、７６の表示状態を変化させる必要がなくなる。具体的には、照明装置７７に配されるＬＥＤ光源は例えば白色１色のみとしても、上記実施形態と同様の効果を得ることができる。
また、表示部材７５、７６を用いれば、照明装置を用いることなく表示状態のバリエーションを増やすことができるため、製造及びランニングコストの低減を図ることができる。
なお、この構成を採用する場合、構造上２つのローラの双方とも駆動用ローラとする必要がある。
【００７０】
上記実施形態では、移動装置６にローラ１７、１８を採用した構成を示したが、本発明ではこれに限定されず、例えば、図１８に示すように、プーリ７４等の回転体を採用した構成であっても構わない。この場合、伝動ベルト７９にタイミングベルト等の歯付ベルトを用いることが望ましい。
【００７１】
上記実施形態では、単体玉箱１４を４段に積み上げた構成を示したが、本発明はこれに限定されず、例えば、３段以下であっても５段以上であっても構わない。
また、本発明は、上記した構成に加えて、図１９に示すように、筐体２の上部に例えば宝箱形状の演出補助部８０を設け、一定の数量（例えば１０杯）の単体玉箱が満杯になった際に、その演出補助部８０に具備された照明部によって点灯させる構成を備えていても構わない。これにより、例えば１０杯以上の玉箱を積み上げた場合の把握を容易にすることが可能となる。なお、この場合、表示部材と照明装置による表示状態の変更のバリエーションを、前記した一定の数量に合わせておくことが好ましい。
【００７２】
上記実施形態では、演出装置１を遊技島５０の幕板５１に取り付けた構成を示したが、本発明ではこれに限定されず、遊技島５０の上部に載置するような構成であっても構わない。
【符号の説明】
【００７３】
１    演出装置
５、７５、７６    表示部材（表示手段）
６    移動装置（移動手段）
７、７７    照明装置
１７    駆動用ローラ
３０    遊技機
３１    各台計数機（計数装置）
３２    玉貸し機
４０    パチンコ機
５０    遊技島
５１    幕板
５２、５４    筒体
７４    プーリ
【図１】
0006012925.tif 000002
【図２】
0006012925.tif 000003
【図３】
0006012925.tif 000004
【図４】
0006012925.tif 000005
【図５】
0006012925.tif 000006
【図６】
0006012925.tif 000007
【図７】
0006012925.tif 000008
【図８】
0006012925.tif 000009
【図９】
0006012925.tif 000010
【図１０】
0006012925.tif 000011
【図１１】
0006012925.tif 000012
【図１２】
0006012925.tif 000013
【図１３】
0006012925.tif 000014
【図１４】
0006012925.tif 000015
【図１５】
0006012925.tif 000016
【図１６】
0006012925.tif 000017
【図１７】
0006012925.tif 000018
【図１８】
0006012925.tif 000019
【図１９】
0006012925.tif 000020